(57)【要約】【課題】  チャンネル切り替え時におけるミュート状態の発生を防止する選局装置を得る。【解決手段】  受信信号に含まれる複数のチャンネルのうちの、第１のチャンネルに対応する第１の映像を表示している際に行なわれる選局であって、第２のチャンネルを選択する選局である第１の選局に応じて、前記第１の映像とともに前記第２のチャンネルに対応する第２の映像を表示手段に表示する第１の表示ステップと、前記第１の映像または前記第２の映像のいずれかの映像を選択する選択ステップと、前記選択された、前記第１の映像または前記第２の映像のいずれかの映像を前記表示手段に表示する第２の表示ステップとを含む選局方法に基づいて選局を行なう。【選択図】          図２
2006304156.tif 000002
【特許請求の範囲】
【請求項１】
受信信号に含まれる複数のチャンネルのうちの、第１のチャンネルに対応する第１の映像を表示している際に行なわれる選局であって、第２のチャンネルを選択する選局である第１の選局に応じて、前記第１の映像とともに前記第２のチャンネルに対応する第２の映像を表示手段に表示する第１の表示ステップと、
前記第１の映像または前記第２の映像のいずれかの映像を選択する選択ステップと、
前記選択された、前記第１の映像または前記第２の映像のいずれかの映像を前記表示手段に表示する第２の表示ステップとを含む選局方法。
【請求項２】
前記第１の表示ステップにおいて前記第１の映像とともに前記第２のチャンネルに対応する第２の映像を表示手段に表示している際に行なわれる選局であって、第３のチャンネルを選択する選択である第２の選局に応じて、前記第２の映像に替えて第３のチャンネルに対応する第３の映像を表示する第３の表示ステップを更に含み、
前記選択ステップにおいて、第１の映像または第３の映像を選択する選局方法。
【請求項３】
前記第１の表示ステップにおいて前記第２の映像を表示する前に、当該第２の映像に対応する番組の情報を表示するＯＳＤ画像を前記表示手段に表示することを特徴とする請求項１または２に記載の選局方法。
【請求項４】
前記第３の表示ステップにおいて前記第３の映像を表示する前に、当該第３の映像に対応する番組の情報を表示するＯＳＤ画像を前記表示手段に表示することを特徴とする請求項２または３に記載の選局方法。
【請求項５】
前記表示手段において前記第１の映像が表示される領域と、前記第２の映像が表示される領域とを別個の領域とすることを特徴とする請求項１ないし４のいずれかに記載の選局方法。
【請求項６】
前記第２の映像が表示される領域、または前記第１の映像が表示される領域とは別個の領域に、前記第１の映像に対応するチャンネルまたは前記第２の映像に対応するチャンネルとは異なるチャンネルの番組の情報を表示することを特徴とする請求項５に記載の選局方法。
【請求項７】
前記異なるチャンネルの番組の情報は、前記第２の映像が表示される領域の上方または下方に表示されることを特徴とする請求項６に記載の選局方法。
【請求項８】
前記異なるチャンネルは、前記第２の映像に対応するチャンネルの前または後のチャンネルであることを特徴とする請求項６または７に記載の選局方法。
【請求項９】
前記異なるチャンネルは、前記受信信号に含まれる複数のチャンネルのうち、視聴者によって選択される頻度が最も高いチャンネルであることを特徴とする請求項６または７に記載の選局方法。
【請求項１０】
前記異なるチャンネルは、前記受信信号に含まれる複数のチャンネルのうち、視聴者によって選択される頻度が最も高いジャンルを放送しているチャンネルであることを特徴とする請求項６または７に記載の選局方法。
【請求項１１】
前記第１の選局または前記第２の選局が行なわれた場合に、当該選択が行なわれたことを通知する音声を出力するステップを更に含む請求項１ないし１０のいずれかに記載の選局方法。
【請求項１２】
請求項１ないし１１のいずれかに記載の選局方法に基づいて選局可能に構成されてなる選局装置。
【請求項１３】
請求項１２に記載の選局装置を備える表示装置。
【発明の詳細な説明】
【技術分野】
【０００１】
本発明は選局方法、選局装置および表示装置に関し、特に、チャンネル切り替え時におけるミュート状態の発生を防止する選局方法、選局装置および表示装置に関する。
【背景技術】
【０００２】
従来の選局装置は、複数のチューナと、前記チューナの各出力を受けてトランスポートストリームを出力する複数の復調手段と、ストリームのデコードを行う複数のトランスポートデコーダと、前記複数のトランスポートデコーダの各出力を受けて、シーケンスヘッダ情報を取り出す、複数のシーケンスヘッダ検出手段と、前記複数のトランスポートデコーダの出力のうち少なくとも１つのストリームを選択するストリーム選択手段と、前記ストリーム選択手段の出力を受け、映像および音声のデコードを行うＡＶデコーダと、前記複数のチューナ、前記複数の復調手段、前記複数のデスクランブラ、前記複数のトランスポートデコーダ、前記複数のシーケンスヘッダ検出手段、前記ＡＶデコーダの制御を行う制御手段を備える。そして、視聴者が受信チャンネルの変更操作を行ったとき、変更前のチャンネルの受信に使用していない、前記チューナ、前記復調手段、前記トランスポートデコーダ、前記ＡＶデコーダを使用して受信を行ない、変更後のチャンネルの映像・音声のデコードが開始された後、前記映像音声選択手段を変更後のチャンネルのストリームをデコードしている前記ＡＶデコーダ側に切り替えることで、受信チャンネル切り換え時に映像及び音声を切れ目なく出力する。（例えば、特許文献１）。
【０００３】
【特許文献１】特開２００４−３２８３６６号公報
【発明の開示】
【発明が解決しようとする課題】
【０００４】
しかしながら、従来の選局装置は、視聴者が、チャンネルを順次変える操作（以下、チャンネルアップともいう）を連続して行った後に、チャンネルアップを行なう前に視聴していたチャンネルを再び視聴しようとした場合、当該チャンネルの映像および音声が出力するまでに、（１）チューナが変更後のチャンネルに同調する時間、（２）復調手段およびデスクランブラが安定動作するまでの時間、（３）トランスポートデコーダが目的のＰＡＴ（Program Association Table）およびＰＭＴ（Program Map Table）を取得し、ＰＩＤ（Program IDentification）デコーダを開始するまでの時間、（４）ＡＶデコーダがシーケンスヘッダを検出し、映像及び音声デコードを開始するまでの時間の前記（１）〜（４）を合計した時間が最低限必要である。したがって、従来の選局装置においては、チャンネルの切り替え時に、少なくとも前記（１）〜（４）を合計した時間、映像が表示されないミュート状態となってしまう。
【０００５】
そこで、本発明は、チャンネル切り替え時におけるミュート状態の発生を防止する選局装置を得ることを目的とする。
【課題を解決するための手段】
【０００６】
本発明に係る選局装置は、受信信号に含まれる複数のチャンネルのうちの、第１のチャンネルに対応する第１の映像を表示している際に行なわれる選局であって、第２のチャンネルを選択する選局である第１の選局に応じて、前記第１の映像とともに前記第２のチャンネルに対応する第２の映像を表示手段に表示する第１の表示ステップと、前記第１の映像または前記第２の映像のいずれかの映像を選択する選択ステップと、前記選択された、前記第１の映像または前記第２の映像のいずれかの映像を前記表示手段に表示する第２のステップとを含む選局方法に基づいて選局を行なう。
【発明の効果】
【０００７】
本発明に係る選局装置によれば、チャンネルの切り替え時におけるミュート状態の発生を防止することができる。
【発明を実施するための最良の形態】
【０００８】
実施の形態１．
図１は、実施の形態１における選局装置１００を適用した表示装置１０００の構成を示すブロック図である。なお、図１中、破線で示した矢印は制御信号の流れを示し、実線で示した矢印は図示しない受信手段（アンテナ等）において受信された受信信号に含まれるデータの流れを示す。また、以下の説明においては、図１における、第１のチューナモジュール２、第１のデマルチプレクサ３、第１のビデオデコーダ４および第１のオーディオデコーダ５を総称して第１の復調・復号部といい、第２のチューナモジュール１０、第２のデマルチプレクサ１１、第２のビデオデコーダ１２および第２のオーディオデコーダ１３を総称して第２の復調・復号部という。
【０００９】
図１における当該表示装置１０００の電源が投入されると、前記受信信号は、当該図１における入力端子１を介して当該選局装置１００に入力される。そして、受信信号は、第１の復調・復号部における第１のチューナモジュール２、および第２の復調・復号部における第２のチューナモジュール１０に入力される。
【００１０】
第１のチューナモジュール２は、前記受信信号に含まれる各チャンネルに関する情報（以下、チャンネル情報ともいう。）を抽出して、制御手段１９に出力する。すなわち、当該受信信号に１０個のチャンネルが含まれている場合、当該第１のチューナモジュール２は１０個のチャンネル情報を制御手段１９に出力する。なお、前記チャンネル情報は、チューナモジュール２，１０においてチャンネルを特定するために必要な情報であり、例えば、各チャンネルの周波数を示す情報である。また、第１のチューナモジュール２および第２のチューナモジュール１０は、復調手段、または誤り訂正手段を含んで構成される。
【００１１】
制御手段１９は、前記第１のチューナモジュール２から出力された前記チャンネル情報を記憶手段１７に出力する。具体的には、例えば、前記チャンネル情報を各チャンネルと対応付けてテーブル化し、当該テーブルに対応する信号を記憶手段１７に出力する。そして、記憶手段１７は、前記テーブルを記憶する。なお、以下の説明においては、記憶手段１７に記憶されるチャンネル情報を選局情報ともいう。また、当該選局情報は、当該選局装置の設計等に応じて予め設定される所定のタイミングで随時更新される。例えば、チューナモジュール２、１０においてＥＰＧ（Ｅｌｅｃｔｒｏｎｉｃ  Ｐｒｏｇｒａｍ  Ｇｕｉｄｅ）を抽出する度に前記選局情報を更新する。
【００１２】
第１のチューナモジュール２は、当該表示装置１０００の電源投入時において、当該第１のチューナモジュールに対して設定されているチャンネル（以下、第１の設定チャンネルともいう）に対応するＴＳ（Ｔｒａｎｓｐｏｒｔ  Ｓｔｒｅａｍ）を受信信号から抽出する。そして、抽出したＴＳに対して復調、誤り訂正等の処理を行って、第１のデマルチプレクサ３に出力する。
【００１３】
第１のデマルチプレクサ３は、前記第１のチューナモジュール２から出力されたＴＳを、前記第１の設定チャンネルの番組に対応する圧縮映像データ（以下、第１のデマルチプレクサから出力される圧縮映像データを第１の圧縮映像データという）、圧縮音声データ（以下、第１のデマルチプレクサから出力される圧縮音声データを第１の圧縮音声データという）、および番組付加情報（以下、第１のデマルチプレクサから出力される番組付加情報を第１の番組付加情報という）に分離する。そして、第１の圧縮映像データを第１のビデオデコーダ４に、第１の圧縮音声データを第１のオーディオデコーダ５に、第１の番組付加情報を制御手段１９に出力する。
【００１４】
制御手段１９は、入力された第１の番組付加情報をＯＳＤ生成手段６に出力する。なお、前記番組付加情報は、番組のタイトル、放送局名、または番組の詳細情報（出演者、番組内容の要約説明、放送開始時間、放送終了時間、放送時間、放送日、２ヶ国語放送である旨の情報など）を含む情報である。また、前記番組付加情報は、当該制御手段１９に設ける記憶手段（図示せず）に記憶させてもよいし、前記記憶手段１７に記憶させてもよい。
【００１５】
前記第１のビデオデコーダ４は、第１のデマルチプレクサ３から出力された第１の圧縮映像データをデコードして得られる映像データ（以下、第１のビデオデコーダ４において得られる映像データを第１の映像データともいう）を第１のビデオデコーダ４に備える記憶手段（例えば、メモリ等。図示せず）に出力する。そして、第１の映像データは前記記憶手段に格納される。なお、当該記憶手段には、当該表示装置１０００において映像を表示するために必要な、所定数のフレームの映像データが格納される。そして、記憶手段に格納された第１の映像データは、制御手段１９から当該第１のビデオデコーダ４に出力される信号に応じて当該記憶手段から映像合成手段７に入力される。
【００１６】
なお、当該所定数は、任意に設定することができ、例えば、当該表示装置１０００において映像を途切れさせることなく番組の表示を行なうために最低限必要なフレーム数を当該所定数とすることができる。また、上述の、制御手段１９の信号は、以下のタイミングで第１のビデオデコーダに出力される。すなわち、通常、デジタル放送においては、放送局において映像データ等を送信する際、当該映像データに対してインターリーブを行う。例えば、ＢＳ／ＣＳデジタル放送の場合は最大で２秒未満、地上デジタル放送の場合は最大で３秒未満のインターリーブが行われる。したがって、ある時刻においてある番組の映像を構成する１フレームの映像データが得られた場合であっても、当該第１のフレームの次に表示すべきフレームに対応する映像データは、ＢＳ／ＣＳデジタル放送の場合は最大で２秒未満、地上デジタル放送の場合は最大で３秒未満経過しないと得ることができない。
【００１７】
具体的に、上述した所定の時間を考慮すると、第１のビデオデコーダ４から映像データを出力することが可能となるまでには、
（ａ）インターリーブされた映像データを全て受信するまでに要する時間（ＢＳ／ＣＳデジタル放送の場合は最大で２秒未満、地上デジタル放送の場合は最大で３秒未満）
（ｂ）受信した映像データに対するデインターリーブを完了するまでに要する時間
（ｃ）デインターリーブされた映像データを全てデコードするまでに要する時間
の（ａ）〜（ｃ）の時間を合計した時間を少なくとも必要とする。
【００１８】
よって、制御手段１９は、第１のビデオデコーダ４に第１の圧縮映像データが入力されてから、前記（ａ）〜（ｃ）の時間を合計した時間が経過した際に当該第１のビデオデコーダ４に信号を出力する。
【００１９】
第１のオーディオデコーダ５は、前記第１のデマルチプレクサ３から出力された第１の圧縮音声データをデコードして得られる音声データ（以下、第１のオーディオデコーダにおいて得られる音声データを第１の音声データともいう。）を音声選択手段１４に出力する。
【００２０】
一方、第２の復調・復号部に入力された受信信号は、当該第２の復調・復号部において、上述した第１の復調・復号部と同様の処理が施される。以下、当該第２の復調・復号部における各構成の動作について説明する。なお、前記第１の復調・復号部において選局情報が生成されている場合には、当該第２の復調・復号部においては、前記選局情報を生成せず、第１の復調・復号部において生成された選局情報を使用する。一方、前記第１の復調・復号部において選局情報が生成されていない場合には、当該第２の復調・復号部において前記選局情報を生成する。
【００２１】
第２のチューナモジュール１０は、当該表示装置１０００の電源投入時において、当該第２のチューナモジュールに対して設定されているチャンネル（以下、第２の設定チャンネルともいう）に対応するＴＳを受信信号から抽出する。そして、抽出したＴＳに対して復調、誤り訂正等の処理を行って、第２のデマルチプレクサ１１に出力する。
【００２２】
第２のデマルチプレクサ１１は、前記第２のチューナモジュール１０から出力されたＴＳを、前記第２の設定チャンネルの番組に対応する圧縮映像データ（以下、第２のデマルチプレクサから出力される圧縮映像データを第２の圧縮映像データともいう）、圧縮音声データ（以下、第２のデマルチプレクサから出力される圧縮映像データを第２の圧縮音声データともいう）、および番組付加情報（以下、第２のデマルチプレクサから出力される番組付加情報を第２の番組付加情報ともいう）に分離する。そして、第２の圧縮映像データを第２のビデオデコーダ１２に、第２の圧縮音声データを第２のオーディオデコーダ１３に、第２の番組付加情報を制御手段１９に出力する。
【００２３】
制御手段１９は、入力された第２の番組付加情報をＯＳＤ生成手段６に出力する。また、前記第２の番組付加情報は、当該制御手段１９に設ける記憶手段（図示せず）に記憶させてもよいし、前記記憶手段１７に記憶させてもよい。
【００２４】
前記第２のビデオデコーダ１２は、第２のデマルチプレクサ１１から出力された第２の圧縮映像データをデコードして得られる映像データ（以下、第２のビデオデコーダにおいて得られる映像データを第２の映像データともいう。）を第２のビデオデコーダ１２に備える記憶手段（例えば、メモリ等。図示せず）に出力する。そうすると、第２の映像データが前記記憶手段に格納される。なお、当該記憶手段には、当該表示装置１０００において映像を表示するために必要な、所定数のフレームの映像データが格納される。そして、記憶手段に格納された第２の映像データは、制御手段１９から出力される信号に応じて前記記憶手段から映像合成手段７に入力される。なお、制御手段１９から第２のビデオデコーダに信号が出力されるタイミングは第１のビデオデコーダ４の場合と同様である。
【００２５】
第２のオーディオデコーダ１３は、前記第２のデマルチプレクサ１１から出力された第２の圧縮音声データをデコードして得られる音声データ（以下、第２のオーディオデコーダ１３において得られる音声データを第２の音声データともいう）を音声選択手段１４に出力する。
【００２６】
ＯＳＤ生成手段６は、当該表示装置１０００における映像の表示の態様に応じて、ＯＳＤ（Ｏｎ  Ｓｃｒｅｅｎ  Ｄｉｓｐｌａｙ）の生成に必要な情報（以下、ＯＳＤ情報ともいう）を第１の番組付加情報または第２の番組付加情報から抽出する。そして、抽出したＯＳＤ情報を所定のＯＳＤフォーマットに組み込んでＯＳＤを生成する。したがって、例えば、ＯＳＤにおいて、番組のタイトルを表示する場合、ＯＳＤ生成手段６は、第１の番組付加情報または第２の番組付加情報から、当該表示装置１０００において表示する番組のタイトルに対応する情報を抽出し、ＯＳＤフォーマットに組み込んでＯＳＤを生成する。そして、ＯＳＤ生成手段６は、生成したＯＳＤに対応する信号（以下、ＯＳＤ信号ともいう）を映像合成手段７に出力する。
【００２７】
映像合成手段７は、表示手段９に表示する映像の態様に応じて、第１のビデオデコーダ４から出力された第１の映像データに対応する信号、第２のビデオデコーダ１２から出力された第２の映像データに対応する信号、またはＯＳＤ生成手段６から出力されたＯＳＤ信号を合成する。そして、当該合成の結果得られる信号を映像調整手段８に出力する。
【００２８】
映像調整手段８は、映像合成手段７から出力された信号に対して解像度変換等の調整を行って、当該調整後の信号を表示手段９に出力する。そして、表示手段９は、入力された信号に対応する映像を表示する。なお、表示手段９は、ＣＲＴ、液晶ディスプレイ、プラズマディスプレイ、ＦＥＤディスプレイ等で構成することができる。
【００２９】
音声選択手段１４は、制御手段１９の制御に応じて、前記第１の原音声データおよび第２の原音声データのうち、いずれか一方の音声データを選択して音声調整手段１５に出力する。
【００３０】
音声調整手段１５は、入力された第１の音声データまたは第２の音声データに対して、バランス、音質の調整を行った後、当該調整後の音声データを増幅して音声出力手段１６に出力する。音声出力手段１６は、音声調整手段１５から入力された音声データの音声を再生して出力する。なお、当該音声出力手段は、スピーカー等の音声出力装置によって構成することができる。
【００３１】
通常、当該表示装置１０００の電源投入後、視聴者による選局操作が行われるまでは、上述のように表示装置１０００における各構成が動作することによって、当該視聴者は、第１の設定チャンネルまたは第２の設定チャンネルに対応する映像および音声の視聴をすることができる。
【００３２】
なお、電源投入後に、第１の設定チャンネルまたは第２の設定チャンネルのいずれを当該表示装置１０００において表示するかは、当該表示装置１０００の仕様等に応じて任意に設定する。例えば、表示装置１０００の電源投入直後、第１の設定チャンネルに対応する番組のみを表示手段９に表示するようにしてもよいし、第２の設定チャンネルに対応する番組のみを表示手段９に表示するようにしてもよい。また、第１の設定チャンネルに対応する番組の映像を主映像とし、第２の設定チャンネルに対応する番組の映像を副映像としてＰＩＰ（Picture In Picture）表示を行なってもよい。
【００３３】
また、第１の設定チャンネルまたは第２の設定チャンネルの設定もまた、当該表示装置１０００の仕様等に応じて任意に設定する。例えば、表示装置１０００の電源が遮断された際に視聴者が視聴していたチャンネルを第１の設定チャンネルとし、当該チャンネルのひとつ前に視聴者が視聴していたチャンネルを第２の設定チャンネルとすることができる。また、制御手段１９において、視聴者のチャンネル選択の履歴を解析し、視聴者が最も選択する頻度の高いチャンネルを第１の設定チャンネルとし、当該チャンネルの次に選択する頻度が高いチャンネルを第２の設定チャンネルとしてもよい。なお、当該設定チャンネルは、前記記憶手段１７に記憶し、制御手段１９が電源投入後当該記憶手段に記憶された設定チャンネルを参照して番組の表示を行なう。
【００３４】
以下、視聴者によるチャンネルの切り替え（以下、選局ともいう）が行われた際の表示装置１０００における各構成の動作について説明する。なお、以下の説明においては、第１のチューナモジュール２における第１の設定チャンネルが、表示装置１０００の電源が遮断される際に視聴者が視聴していたチャンネルであり、第２のチューナモジュール１０における第２の設定チャンネルが、前記第１の設定チャンネルの直前に視聴者が視聴していたチャンネルであって、当該表示装置１０００の電源投入直後の表示手段９に第１の設定チャンネルの番組が表示されている場合に、視聴者が選局を行なう場合について説明する。
【００３５】
上述の場合に、視聴者が、第１の設定チャンネル以外の他のチャンネルの番組の視聴を行なう場合、当該視聴者は、操作手段１８を使用して選局を行なう。なお、以下の説明においては、視聴者が、あるチャンネルの番組を視聴している場合であって、当該チャンネルから他のチャンネルへの切替えを行なう場合に、最初に行なう選局を第１の選局ともいう。また、操作手段１８は、例えば、リモコン、当該表示装置１０００に備えるボタン等の操作部である。また、携帯電話等のように、当該表示装置１０００の付属品ではないが、当該表示装置１０００に指示を与えることが可能な機器を前記操作手段１８として使用してもよい。
【００３６】
視聴者が操作手段１８を使用して、所望のチャンネル（以下、第１の選局チャンネルともいう。）を選局すると、当該第１の選局チャンネルが選局された旨の信号（以下、第１の選局信号という。）が操作手段１８から制御手段１９に出力される。制御手段１９は、入力された第１の選局信号に対応する第１の選局チャンネルと、前記記憶手段１７に記憶された前記選局情報とを対比して、当該第１の選局チャンネルの選局情報を記憶手段１７から読み出す。そして読み出した選局情報を、視聴者が視聴している番組のデコード等に使用していない復調・復号部のチューナモジュールに出力する。したがって、上述の場合においては、視聴者が第１の設定チャンネルの番組を視聴している（すなわち、第１の復調・復号部が使用されている）ので当該選局情報は、第２のチューナモジュール１０に出力される。
【００３７】
第２のチューナモジュール１０は、前記制御手段１９から出力された選局情報に基づいて第１の選局チャンネルを特定し、前記第１の選局チャンネルに対応するＴＳを受信信号から抽出する。そして、抽出したＴＳに対して復調、誤り訂正等の処理を行って第２のデマルチプレクサ１１に出力する。
【００３８】
第２のデマルチプレクサ１１は、前記第２のチューナモジュール１０から出力されたＴＳを、前記第１の選局チャンネルの番組に対応する圧縮映像データ、圧縮音声データ、および番組付加情報に分離する。そして、圧縮映像データを第２のビデオデコーダ１２に、圧縮音声データを第２のオーディオデコーダ１３に、番組付加情報を制御手段１９に出力する。
【００３９】
制御手段１９は、入力された、第１の選局チャンネルの番組に対応する番組付加情報をＯＳＤ生成手段６に出力する。なお、当該番組付加情報は、当該制御手段１９に設ける記憶手段（図示せず）または前記記憶手段１７に記憶される。ＯＳＤ生成手段６は、第１の選局チャンネルに対応するＯＳＤの生成に必要な情報を当該番組付加情報から抽出し、抽出した情報を所定のＯＳＤフォーマットに組み込んでＯＳＤを生成する。そして、ＯＳＤ信号を映像合成手段７に出力する。
【００４０】
第２のオーディオデコーダ１３は、第２のデマルチプレクサ１１から出力された、第１の選局チャンネルの番組に対応する圧縮音声データをデコードして、当該圧縮音声データに対応する第２の音声データを音声選択手段１４に出力する。前記第２のビデオデコーダ１２は、第２のデマルチプレクサ１１から出力された圧縮映像データをデコードして、当該圧縮映像データに対応する第２の映像データを第２のビデオデコーダ１２に備える記憶手段（図示せず）に出力する。そして、第２の映像データは、前記記憶手段に格納される。なお、上述したように、当該記憶手段には、所定数のフレームの映像データが格納される。
【００４１】
制御手段１９は、前記第２のビデオデコーダ１２における前記記憶手段に、所定数のフレームの映像データが格納されると、第２のビデオデコーダ１２における記憶手段から第２の映像データを出力させる。そうすると、映像合成手段７には、第１の映像データ、第２の映像データ（選局後の第２の映像データ）およびＯＳＤ信号が入力される。
【００４２】
映像合成手段７は、制御手段１９から入力される信号に応じて、第１の映像データ、第２の映像データおよびＯＳＤ信号を合成した信号（以下、選局映像重畳信号ともいう）を生成して映像調整手段８に出力する。映像調整手段８は、入力された選局映像重畳信号に対して所定の調整を行なって、表示手段９に出力する。そうすると、表示手段９において、第１の映像データに対応する映像と第２の映像データに対応する映像とが、映像合成手段７において設定された合成比（詳細は後述）に応じて表示され、また、ＯＳＤ信号に対応するＯＳＤが当該映像に重畳して表示される。したがって、視聴者は、表示手段９に表示された第１の映像データに対応する映像と第２の映像データに対応する映像とを見ながら、第１の映像データに対応する番組または第２の映像データに対応する番組のいずれかの番組を視聴する番組として選択することができる。
【００４３】
なお、制御手段１９は、前記選局映像重畳信号の出力に応じて、音声選択手段１４に対し、第１の音声データまたは第２の音声データのうち、第２の原音声データを選択する旨の信号（以下、音声選択のために制御手段１９から音声選択手段１４に入力される信号を音声選択信号ともいう）を出力する。
【００４４】
次に、上述の動作によって、第１の映像データに対応する映像と第２の映像データに対応する映像とが表示手段９に表示された状態において、視聴者が再度選局を行なって他のチャンネル（以下、第２の選局チャンネルともいう）を選局すると、操作手段１８から第２の選局信号が制御手段１９に出力される。制御手段１９は、当該第２の選局チャンネルと記憶手段１７に記憶された選局情報とを対比して、当該第２の選局チャンネルに対応する選局情報を記憶手段１７から読み出す。そして、読み出した選局情報を第２のチューナモジュール１０に出力する。そして、第２の復調・復号部は、上述した動作と同様の動作を行なって、当該選局情報に対応する映像データを映像合成手段７に出力し、音声データを音声選択手段１４に出力する。
【００４５】
そうすると、視聴者による再度の選局によって、第１の映像データに対応する映像と第２の映像データに対応する映像とが表示された状態において、当該第２の映像データに対応する映像のみが切替わり、当該映像の変化にともなって音声も切替わる。以降、第１の映像データに対応する映像と第２の映像データに対応する映像とが表示された状態において、視聴者が選局を行なうと、制御手段１９は、当該選局に対応する選局情報を第２の復調・復号部に入力し、当該第２の復調・復号部において当該選局情報に対応する番組の圧縮映像データおよび圧縮音声データがデコードされた後、映像合成手段７、音声選択手段１４等に映像データまたは音声データが出力される。
【００４６】
すなわち、表示手段９においては、第１の映像データの映像の表示が保持された状態で、第２の映像データの映像が選局に応じて切替わる。したがって、視聴者は、第１の映像データの映像の表示が保持された状態で選局を行なうことができる。そして、視聴者が、選局を繰り返して所望のチャンネルを見つけた後、当該所望のチャンネルを決定する旨の操作を操作手段１８によって行なうと、当該所望のチャンネルに対応する映像が表示手段９に表示される。
【００４７】
以下、当該表示装置１０００における選局時の映像の表示について具体的に説明する。なお、以下の説明において、視聴者が、ある番組を視聴している際に最初に行なう選局動作を第１の選局ともいい、当該第１の選局によって第１の映像データに対応する映像と第２の映像データに対応する映像とが表示された後に行なう選局動作を第２の選局ともいう。すなわち、第１の選局によって、表示手段９に第１の映像データに対応する映像と第２の映像データに対応する映像とが表示され、第２の選局によって、第１の映像データの表示が保持された状態で第２の映像データに対応する映像が切替わる。そして、視聴者は、第１の選局または第２の選局によって所望のチャンネルを選択（検索）した後に、視聴するチャンネルの決定を行なう。また、第１の選局によって選択されるチャンネルを第１の選局チャンネルとし、第２の選局によって選択されるチャンネルを第２の選局チャンネルとする。
【００４８】
図２は、実施の形態１の表示装置１０００における第１の選局時の映像の表示を説明するための説明図である。当該表示装置１０００に電源が投入された後、視聴者によって第１の選局が行われるまでは、図２（ａ）のように、電源投入時に設定されている第１の設定チャンネルの番組の映像３１（以下、現映像３１ともいう）と、当該第１の設定チャンネルに対応する第１のＯＳＤ画像３２が合成された映像が表示手段９に表示される。
【００４９】
そして、視聴者が操作手段１８を用いて第１の選局を行なうと、表示手段９には、選局が可能である旨を示すＯＳＤ画像（画像３６，以下、選局ＯＳＤ画像３６ともいう）が表示される。また、選局ＯＳＤ画像３６とともに、第２の復調・復号部においてデコードされる映像データに対応するＯＳＤ画像３３，３７、第２の映像データを表示するためのＯＳＤ画像３４、および視聴者が視聴する番組の選択および決定をする際に使用するＯＳＤ画像３５（詳細は後述）が現映像３１に重ねて表示される（図２（ｂ））。
【００５０】
具体的に説明すると、図２（ｂ）の場合、表示手段９には、現映像３１、現映像３１に対応するチャンネルの番号を示す第１のＯＳＤ画像３２、第１の選局チャンネルのチャンネル番号を示す第２のＯＳＤ画像３３、第１の選局チャンネルの映像データの映像が表示される領域（以下、選局番組表示領域ともいう。）を示す第３のＯＳＤ画像３４、視聴者が視聴する番組の選択および決定をする際に使用する第４のＯＳＤ画像３５（以下、カーソル３５または番組選択手段３５ともいう）、および選局動作の説明を表示する第５のＯＳＤ画像３６が表示される。また、選局番組表示領域には第２の選局チャンネルの番組付加情報を表示する第６のＯＳＤ画像が表示される。
【００５１】
なお、当該ＯＳＤ画像３３〜３７は、制御手段１９から出力される信号に応じて、ＯＳＤ生成手段６において生成される。すなわち、視聴者によって選局が行なわれると、制御手段１９はＯＳＤ生成手段６に対して、第２の番組付加情報から所定の情報を抽出して所定のＯＳＤフォーマットに組み込む旨の信号を出力する。なお、第５のＯＳＤ画像３６における［↑］、［↓］、［←］、［→］および［決定］は、操作手段１８に設けるボタン（図示せず）を示すものであり、以下の説明においては、［↑］を上キー、［↓］を下キー、［←］を左キー、［→］を右キー、［決定］を決定キーともいう。また、［↑］、［↓］、［←］、［→］を総称して方向キーともいう。
【００５２】
なお、図２においては、現映像３１が表示される領域（すなわち、表示手段９の表示領域（画面）全体）において第１の選局チャンネルの映像が表示される領域の割合を約２５％（画面の４分の１程度）となるように映像合成手段７における合成比を設定した場合に対応するように第３のＯＳＤ画像３４を示したが、当該割合は、０から１００％の間で任意に設定することができる。なお、以下の説明において、表示手段９の表示領域全体に対する、第１の映像データの映像または第２の映像データの映像の占める割合を画面占有率ともいう。よって、図２（ｂ）の場合においては、現映像３１の画面占有率が１００％であり、第２の選局チャンネルの映像の画面占有率が２５％である。
【００５３】
図２（ｂ）に示すように選局番組表示領域において当該第１の選局チャンネルの番組付加情報が表示された後、当該選局番組表示領域には第１の選局チャンネルの映像３８（以下、第１の選局映像３８ともいう。）が表示される（図２（ｃ））。なお、図２（ｃ）においては、第１の選局映像３８が表示された際に、第１の選局チャンネルの番組付加情報を表示しない場合について示したが、当該番組付加情報を第１の選局映像３８とともに表示するようにしてもよい。
【００５４】
図２（ｃ）の状態において、視聴者が操作手段１８の決定キーを操作して、第１の選局チャンネルの番組の視聴を行なうことを決定すると、第１の選局チャンネルの番組が画面占有率１００％で表示手段９に表示される。
【００５５】
図３は、実施の形態１の表示装置１０００における第２の選局時の映像の表示を説明するための説明図である。視聴者が操作手段１８を操作することによって第２の選局を行なうと、前記図２（ｃ）において説明したように、現映像３１と選局番組表示領域とが重ね合わされた表示が保持された状態（図３（ａ））で、当該選局番組表示領域に表示される映像が第１の選局映像から当該第２の選局に対応するＯＳＤ画像３９，４０に切替わる（図３（ｂ））。なお、図３（ｂ）において、ＯＳＤ画像３９は第２の選局チャンネルのチャンネル番号を表示するＯＳＤ画像、ＯＳＤ画像４０は第２の選局チャンネルの番組付加情報を表示するＯＳＤ画像である。
【００５６】
そして、当該ＯＳＤ画像３９，４０が表示された後に、第２の選局に対応する映像４１（以下、第２の選局映像４１ともいう）が選局番組表示領域に表示される（図３（ｃ））。なお、第２の選局映像４１が選局番組表示領域に表示されるのにともない、制御手段１９は、第２の選局映像に対応する音声データを選択する旨の音声選択信号を音声出力手段１６に出力する。よって、音声出力手段１６から出力される音声が第２の選局映像に対応する音声に切替わる。以降、視聴者が操作手段１８を操作することによって選局チャンネルの変更を行なうと、当該変更に応じて選局番組表示領域に表示される映像が切替わる。また、当該映像の切替わりにともなって音声も切替わる。したがって、視聴者は、選局番組表示領域に表示される映像を切り替えることによって、現映像３１の表示を保持した状態で当該現映像の次に視聴する番組を選択することができる。
【００５７】
図４は、視聴者が、選局を行なった後に、視聴する番組を決定する際の操作例を説明するための説明図である。なお、図４においては、視聴者が、前記図２において説明した第１の選局を行なった後に視聴する番組を決定する場合について説明する。
【００５８】
視聴者が第１の選局を行なうと、現映像３１と選局番組表示領域とが重ね合わされて表示される。また、当該表示がされた後、視聴者が何も操作を行なわない場合、カーソル３５は選局番組表示領域に位置する（図４（ａ））。この状態（すなわち、カーソル３５が選局番組表示領域に位置した状態）において、視聴者が決定キーを操作すると、第１の選局映像３８が画面占有率１００％で表示手段９に表示され、また、当該第１の選局映像３８に対応するＯＳＤ画像も表示手段９に表示される（図２（ｄ））。
【００５９】
一方、図４（ａ）の状態において、視聴者が右キーを操作すると、カーソル３５が移動し、現映像３１を選択可能な状態になる（図４（ｂ））。なお、図４（ｂ）においては、現映像３１を囲むようにカーソル３５が形成された場合を、現映像３１の選択が可能な状態として示した。そして、図４（ｂ）の状態において、視聴者が決定キーを操作すると、現映像３１が画面有率１００％で表示され、図２（ａ）の状態に戻る。
【００６０】
上述のように、視聴者は、左キーまたは右キーを操作して、カーソル３５を移動させることによって視聴する番組を選択し、決定キーを操作して視聴する番組を決定する。なお、上述したカーソル３５の移動にともなって、音声出力手段１６から出力される音声を切り替えるようにしてもよい。
【００６１】
すなわち、カーソル３５が、現映像３１を選択可能な状態に表示されている場合には、現映像３１の音声を音声出力手段１６から出力し、選局番組表示領域内に表示されている映像を選択可能な状態に表示されている場合には、当該映像の音声を音声出力手段１６から出力するようにしてもよい。
【００６２】
この場合、制御手段１９は、カーソル３５の移動にともない、音声選択手段１４に対してカーソル３５によって選択可能な映像の音声データを選択する旨の音声選択信号を出力する。これにより、視聴者は、表示手段９に表示されている２つ番組のうち、任意の番組の音声を聞くことができる。
【００６３】
また、選局中、現映像３１の音声を音声出力手段１６から出力しつづけるようにしてもよいし、選局番組表示領域に表示された番組の音声を音声出力手段１６から出力しつづけるようにしてもよい。
【００６４】
図５は、視聴者が、選局を行なった後に、視聴する番組を決定する際の他のカーソル表示を説明するための説明図である。図４においては、選局番組表示領域の外周または現映像３１が表示される領域の外周を囲むようにカーソル３５が形成される場合について説明したが、図５に示すように、現映像３１のチャンネル番号を示すＯＳＤ画像３２の外周または選局番組表示領域に表示される番組のチャンネル番号を示すＯＳＤ画像３３の外周を囲むようにカーソル３５が形成されるようにしてもよい。また、選択されているチャンネルのＯＳＤ画像の色を変えるようにしてもよい。
【００６５】
なお、図４および図５においては番組を選択するための手段としてカーソル３５を使用する場合について説明したが、当該手段として、現映像３１に対応するアイコンおよび選局番組表示領域に表示される番組に対応するアイコンを使用してもよい。この場合、当該アイコンは表示手段９に表示され、視聴者は、操作手段１８によって視聴する番組のアイコンを選択する。
【００６６】
また、図４および図５においては、決定キーを操作することによって視聴する番組を決定する場合について説明したが、例えば、視聴者が操作手段１８を操作しないまま一定時間が経過した際にカーソル３５が位置している領域に表示された番組が、視聴者が視聴する番組として決定されるようにしてもよい。したがって、例えば、選局番組表示領域に表示された番組が選択可能な状態（ＯＳＤ画像３４を囲むようにカーソル３５が形成されている状態）において前記一定時間が経過すると当該番組の映像が画面占有率１００％で表示される。このようにした場合、視聴者が視聴する番組を決定する際に「決定」キーを操作しなくてもよいため、操作手段１８を操作する回数を減らすことができる。
【００６７】
なお、視聴者が、上述した第１の選局または第２の選局を行なった後、最終的に視聴者が選択しなかったチャンネル（すなわち、例えば、図２〜５において視聴者が現映像３１を選択した場合には選局番組表示領域に表示された番組のチャンネル）のデコードに使用した復調・復号部には、引き続き当該チャンネルに対応するデータの復調および復号をさせるようにしてもよい。これにより、視聴者が、再度、当該視聴しなかったチャンネルを選局した場合、即時に当該チャンネルに対応する映像を表示することができる。したがって、視聴者は、前記（ａ）〜（ｃ）の時間を合計した時間を待たずに、当該チャンネルの番組を即時に視聴することができる。
【００６８】
また、視聴者が選局動作を行なって視聴する番組を決定した後、当該視聴者が再度選局を行った場合には、当該決定後に視聴者が視聴している番組のデータのデコードに使用していない復調・復号部を使用して上述の動作を行なえばよい。したがって、例えば、視聴者が、図２において説明した第１の選局後、第１の選局チャンネルを選択して決定した後に、再度選局を行なった場合には、上述した第２の復調・復号部における動作を第１の復調・復号部が行なえばよい。
【００６９】
以上の説明のように、実施の形態１における選局装置１００によれば、チューナモジュール２，１０、デマルチプレクサ３，１１、ビデオデコーダ４，１２およびオーディオデコーダ５，１３を含む復調・復号部を複数有するため、視聴者が選局を行った場合に、視聴に用いていない復調・復号部を使用して、当該選局に対応するチャンネルのデータをデコードすることができる。
【００７０】
よって、制御手段１９が上述したタイミングで、選局番組表示領域に、選局に対応する映像を表示することで、選局時にミュート状態を生じさせることがなくなる。したがって、視聴者は、当該ミュート状態による不快感を感じることなく選局を行なうことができる。さらに、視聴者が選局動作を行なった後、現映像３１と、選局番組表示領域に表示された映像とが重ねて表示された際には、現映像３１に対応する圧縮映像データ、および選局番組表示領域に表示された映像に対応する圧縮映像データの両方が既にデコードされている。よって、視聴者が、視聴する番組を決定する動作を行なって映像の切り替えが行なわれる際にもミュート状態が生じることなく、即時に映像の切り替えを行なうことができる。
【００７１】
また、従来の選局装置においては、ある番組を視聴している際に他の番組を選局した直後、再度、前記ある番組を選局すると、当該ある番組の圧縮映像データ等を新たにデコードする必要があるため、当該ある番組を再度表示するまでに前記（ａ）〜（ｃ）を合計した時間を要する。しかしながら、実施の形態１の表示装置１０００においては、上述のように、視聴者による第１の選局または第２の選局を行なった後も、現映像３１が常に表示された状態、すなわち、現映像３１に対応する番組が常に視聴できる状態になっているため、視聴者が現映像３１の示す番組を再度選局する場合、前記（ａ）〜（ｃ）を合計した時間を待つことなく視聴が可能となる。
【００７２】
また、実施の形態１の表示装置においては、選局動作の際、選局前の映像および選局後の映像がともに表示される。よって、視聴者は、選局前後の映像を見比べて視聴する番組を決定することができる。
【００７３】
なお、実施の形態１における表示装置１０００においては、図２（ｂ）または図３（ｂ）に示したように、視聴者が選局動作を行なった後、当該選局に対応する映像が表示されるまでの間、当該映像に対応する番組の番組付加情報を表示するが、当該表示を行なわないようにすることもできる。
【００７４】
しかしながら、上述したように、デジタル放送における映像データのデコードには所定の時間を要し、当該所定の時間が経過するまでは当該選局に対応する映像が表示されない。そのため、当該所定の時間においては、視聴者が当該選局に対応する番組の情報を何ら得ることができない。したがって、視聴者がより早く選局後の番組の情報を得られる点で、当該表示手段１０００のように、視聴者が選局動作を行なった後、当該選局に対応する映像が表示されるまでの間、当該映像に対応する番組の番組付加情報を表示することが望ましい。なお、ＯＳＤ画像の作成に要する時間は、必要な情報を抽出して所定のフォーマットに組み込む間での間であるため、デジタル放送信号のデコードに要する時間よりも非常に短い。
【００７５】
また、以上の説明においては、表示される映像のチャンネルの番号を示すＯＳＤ画像を表示させる場合について説明したが（例えば、図３におけるＯＳＤ画像３２，３３）、例えば、各チャンネルに対応する放送局のロゴ、番組名称のような前記番組付加情報に含まれる情報をＯＳＤ画像として表示してもよい。また、選局時に、「チャンネル選局中です」のようにチャンネルの選局が行われている旨を示すメッセージを表示するＯＳＤ画像を表示してもよい。
【００７６】
また、以上の説明においては、選局番組表示領域の画面占有率を所定の固定値に設定し、当該固定値の画面占有率で当該選局に対応する映像を表示する場合について説明したが、当該画面占有率を０％から徐々に所定の画面占有率まで増加するようにしてもよい。また、視聴者によって当該画面占有率を変更することが可能なようにしてもよい。また、選局番組表示領域に表示される映像は、表示手段９の枠外から所定の位置まで移動して（すなわち、フレームインして）表示されるように見せてもよい。
【００７７】
また、以上の説明においては、各ビデオデコーダ４，１２に記憶手段を備える場合について説明したが、当該記憶手段とビデオデコーダ４，１２とは別個に構成してもよい。また、当該記憶手段は、選局装置１００の外部に設けてもよい。
【００７８】
また、以上の説明においては、第１のビデオデコーダ４および第１のオーディオデコーダ５、または第２のビデオデコーダ１２および第２のオーディオデコーダ１３を別個に構成する場合について説明したが、第１のビデオデコーダ４および第１のオーディオデコーダ５、または第２のビデオデコーダ１２および第２のオーディオデコーダ１３は一体として構成してもよい。
【００７９】
また、例えば、受信信号に含まれるＴＳにおいて圧縮音声データが含まれていない場合（無音声番組のように、映像に対応する音声がない場合）においては、オーディオデコーダ５，１３を動作しないように（すなわち、圧縮音声データのデコードを行わないように）してもよい。
【００８０】
また、図２〜図５においては、現映像３１と、ＯＳＤ画像３６および選局番組表示領域とを重ねて表示した場合に、当該現映像３１において、ＯＳＤ画像３６または選局番組表示領域が重なる部分については視聴者が見ることができない場合について示したが、当該第１の選局映像３８を透過して現映像３１が表示されるようにしてもよい。
【００８１】
この場合、例えば、表示手段１９において、所定の透過度ａを使用して下記式（１）に示す演算を各色成分について行ない、当該演算の結果を映像調整手段８に出力する。そして、映像調整手段８は前記演算の結果に基づいて映像合成手段７から出力された信号の調整を行なう。なお、当該透過度ａは、予め設定した固定値としてもよいし、視聴者によって設定できるような可変の値としてもよい。
【００８２】
Ｖ  ＝  ａ×Ｖｘ  ＋  （１−ａ）×Ｖｙ      （１）
なお、式（１）中、「×」は乗算記号、「Ｖｘ」は選択番組表示領域に表示される映像の映像データの各色成分、「Ｖｙ」は現映像３１の映像データの各色成分、「Ｖ」は当該２つの映像データを当該式で合成した各色成分である。また、当該各色成分とは、ＲＧＢ色空間の場合には赤（Ｒ）、緑（Ｇ）、青（Ｂ）、当該ＲＧＢ色空間の輝度成分と色差成分で表される色空間の場合には輝度成分Ｙ、色差成分Ｃｂ，Ｃｒである。
【００８３】
例えば、前記透過度ａを０．５と設定した場合には、前記２つの映像データにおける各色成分は半分の割合で合成される。また、前記透過度ａを０と設定した場合には、現映像３１のみを表示することを意味し、逆に前記透過度ａを１と設定した場合には、現映像３１が選局番組表示領域に表示された映像を透過しないことを意味する。
【００８４】
また、前記透過度ａを用いた映像の合成は、前記ＯＳＤ画像と前記映像データとの合成に使用してもよく、例えば、選局番組表示領域に映像表示されるまでは、現映像３１の視聴を妨げないように透過度ａを０または０に近い値に設定することによって、当該ＯＳＤ画像３４が略表示されない状態にしてもよい。
【００８５】
実施の形態２．
図６は、実施の形態２の表示装置における選局時の映像等の表示を説明するための説明図である。なお、当該実施の形態２における表示装置の構成は、実施の形態１の表示装置１０００と同様であるので説明を省略する。また、以下の説明においては、実施の形態１において説明した構成と同様の構成については同一の符号を付記し、説明を省略する。
【００８６】
当該表示装置において、視聴者がある番組の視聴をしている（図６（ａ））際に第１の選局を行なうと、ＯＳＤ画像３３〜３６，４２が表示され、ＯＳＤ画像３４によって規定される選局番組表示領域には、選局番組に対応する番組付加情報が表示される（図６（ｂ））。また、ＯＳＤ画像４２によって規定される現映像表示領域には現映像３１が表示される。そして、選局番組表示領域に番組付加情報が表示された後に、選局されたチャンネルに対応する番組の映像（第１の選局映像）が当該選局番組表示領域に表示される（図６（ｃ））。すなわち、実施の形態２においては、第１の選局映像３８と現映像３１とが重なることなく表示されるように、現映像３１の画面占有率が１００％未満に設定される。
【００８７】
そして、実施の形態１（例えば、図４）において説明した場合と同様に、現映像３１と第１の選局映像とが表示された状態（図６（ｃ））において、視聴者が、左キーまたは右キーを操作してカーソル３５を移動させることによって視聴する番組を選択した後、決定キーを操作して視聴する番組を決定すると、当該番組が画面占有率１００％として表示される（図６（ｄ））。
【００８８】
以上の説明のように、実施の形態２における表示装置によれば、選局動作時に、現映像３１と第１の選局映像３８（選択番組表示領域）とが重なることなく表示することができる。したがって、視聴者は、選局時において、現映像３１全体および第１の選局映像３８全体を見て視聴する番組の選択および決定を行なうことができる。
【００８９】
なお、以上の説明においては、第１の選局の場合について説明したが、第２の選局の場合においても上述の場合と同様である。すなわち、視聴者が第２の選局を行なうと、現映像３１と選択番組表示領域とが重ならずに表示された状態が保持されたまま、当該選局に応じて選択番組表示領域に表示される映像が切替わる。そして、視聴者は、カーソル３５によって視聴する番組を選択して決定する。
【００９０】
実施の形態３．
図７は、実施の形態３の表示装置における第１の選局時の映像等の表示を説明するための説明図である。なお、当該実施の形態３における表示装置の構成は、実施の形態１の表示装置１０００と同様であるので説明を省略する。また、以下の説明においては、実施の形態１または実施の形態２において説明した構成と同様の構成については同一の符号を付記し、説明を省略する。
【００９１】
当該表示装置において、視聴者がある番組の視聴をしている（図７（ａ））際に、第１の選局を行なうと、表示手段９にはＯＳＤ画像３３〜３７，４２〜４６が表示される。すなわち、実施の形態３の表示装置において第１の選局が行なわれると、実施の形態１または２において説明したＯＳＤ画像３３〜３７が表示されるとともに、当該第１の選局チャンネル（Ａ３ｃｈ）の前のチャンネル（Ａ２ｃｈ、以下、選択番組表示領域に表示された映像に対応するチャンネルの前のチャンネルを前チャンネルともいう）を示すＯＳＤ画像４３、後のチャンネル（Ａ４ｃｈ、以下、選択番組表示領域に表示された映像に対応するチャンネルの後のチャンネルを後チャンネルともいう）を示すＯＳＤ画像４５、前記前チャンネルの番組の番組付加情報を示すＯＳＤ画像４４、および前記後チャンネルの番組の番組付加情報を示すＯＳＤ画像４６が表示される。
【００９２】
そして、第１の選局において選局されたチャンネル（第１の選局チャンネル）の番組付加情報が選局番組表示領域に表示された後、当該第１の選局映像３８が当該選局番組表示領域に表示される。この状態において、視聴者が決定キーを操作して、視聴する番組を第１の選局チャンネル（Ａ３ｃｈ）に決定すると当該第１の選局チャンネルの番組が画面占有率１００％で表示手段９に表示される（図７（ｄ））。
【００９３】
図８は、実施の形態３の表示装置における第２の選局時の映像の表示を説明するための説明図である。当該表示装置において、第１の選局により図８（ａ）のように第１の選局映像３８等が表示された後、視聴者が操作手段１８の上キーまたは下キーを操作することによって第２の選局を行なうと、当該第２の選局に応じて、第１の選局チャンネルの前または後のチャンネルの番組に対応する番組付加情報が選択番組表示領域に表示される（図８（ｂ））。
【００９４】
また、選択番組表示領域の上方に表示されるＯＳＤ画像には、第２の選局の直前に、選択番組表示領域に表示されていた映像に対応するチャンネルの番組付加情報が表示される。さらに、選択番組表示領域の下方に表示されるＯＳＤ画像には、新たな後チャンネル（Ａ５ｃｈ）の番組付加情報が表示される。なお、図８（ｂ）においては、第１の選局により図８（ａ）のように表示された際に、視聴者が上キーを操作したことによって、選択番組表示領域にＡ４ｃｈの番組に対応する番組付加情報が表示された場合について示した。
【００９５】
当該第２の選局に応じて選択番組表示領域に番組付加情報の表示が行なわれた後、当該選択番組表示領域には当該番組付加情報に対応する番組の映像が表示される（図８（ｃ））。そして、図８（ｃ）のように表示された状態において、視聴者が、実施の形態１または２において説明したように操作手段１８の方向キー等を操作してカーソル３５を移動させ、決定キーを操作することによって、視聴する番組の選択および決定を行なうと、当該番組の映像が画面占有率１００％で表示手段９に表示される。
【００９６】
以上の説明のように、実施の形態３の表示装置によれば、視聴者が選局操作を行った際に、選局したチャンネルのほか、当該チャンネルの前後のチャンネルの番組に対応する番組付加情報を表示することができる。よって、視聴者は、１度の選局動作でより多くのチャンネルに関する情報を得ることができる。すなわち、当該視聴者は、視聴する番組をより早く検索して選択することができる。
【００９７】
なお、以上の説明においては、選局したチャンネルの前後２つのチャンネルに関する番組付加情報をＯＳＤ画像として重畳する場合について説明したが、当該重畳する番組付加情報として、選局したチャンネルの前後のチャンネルだけでなく、３つ以上のチャンネルに関する番組付加情報をＯＳＤ画像として重畳してもよい。
【００９８】
ただし、より多くのチャンネルに関する番組付加情報を表示手段に表示させるに際しては、１つのチャンネルの番組付加情報を表示するための領域を小さくする必要があるため、１つチャンネルについて表示する番組付加情報の内容を減らす必要がある。そこで、例えば、１つチャンネルについて表示する番組付加情報として、チャンネル番号および番組タイトルのみとすれば、かなり多くのチャンネルに関する情報を表示することが可能となる。
【００９９】
また、以上の説明においては、選局されたチャンネルおよび当該チャンネルの前後のチャンネルに関する番組付加情報を表示手段に表示する場合について説明したが、例えば、視聴者によるチャンネルの選択の頻度を解析し、当該解析の結果に基づいて番組付加情報を表示するようにしてもよい。したがって、例えば、視聴者が選択する頻度が最も高いチャンネルの番組付加情報を表示するＯＳＤ画像を選択番組表示領域の上方に表示し、当該頻度が次に高いチャンネルの番組付加情報を表示するＯＳＤ画像を選択番組表示領域の下方に表示するようにしてもよい。
【０１００】
また、以上の説明においては、選局されたチャンネルおよび当該チャンネルの前後のチャンネルに関する番組付加情報を表示手段に表示する場合について説明したが、例えば、視聴者が視聴する番組のジャンル（スポーツ（野球、サッカー等）、ドラマ等）の選択の頻度を解析し、当該解析の結果に基づいて番組付加情報を表示するようにしてもよい。したがって、例えば、視聴者が選択する頻度が最も高いジャンルを放送しているチャンネルの番組付加情報を表示するＯＳＤ画像を選択番組表示領域の上方に表示し、当該頻度が次に高いジャンルを放送しているチャンネルの番組付加情報を表示するＯＳＤ画像を選択番組表示領域の下方に表示するようにしてもよい。
【０１０１】
また、以上の説明においては、選択番組表示領域の上方および下方に、番組付加情報のＯＳＤ画像を表示する場合について説明したが、当該ＯＳＤ画像は選択番組表示領域の上方または下方のいずれか一方に表示するようにしてもよい。
【０１０２】
また、以上の説明においては、選局番組表示領域の上方および下方に、番組付加情報のＯＳＤ画像を表示する場合について説明したが、当該ＯＳＤ画像は、表示手段の表示部において任意の位置に表示することができる。ただし、選局番組表示領域の上方または下方に当該ＯＳＤ画像を表示することで、視聴者の視線の動きを上下方向のみとして、視聴する番組の選択を行なうことができるため、視聴者の負担を軽減することができ、また、当該視聴者はより簡易かつ迅速に視聴する番組の選択を行なうことができる。
【０１０３】
実施の形態４．
図９は、実施の形態４における選局装置２００を備える表示装置２０００の構成を示すブロック図である。なお、以下の説明においては、実施の形態１〜３において説明した構成と同様の構成については同一の符号を付記し、説明を省略する。
【０１０４】
図９に示した表示装置２０００において、視聴者による選局（第１の選局または第２の選局）が行われると、操作手段１８から制御手段１９に選局信号（以下、第１の選局信号）が出力される。制御手段１９は、第１の選局信号が入力されると、当該表示装置２０００において選局が行われた旨の信号（以下、第２の選局信号ともいう）を音声付加手段２０に出力する。
【０１０５】
ここで、記憶手段１７には、当該表示装置２０００において選局がされた際に、音声出力手段１６から出力する所定の音声に対応するデータ（以下、付加音声データともいう）が記憶されており、音声付加手段２０は前記第２の選局信号に応じて、制御手段１９を介して当該付加音声データを記憶手段１７から抽出し、音声選択手段１４より出力される音声データに当該付加音声データを重畳して得られる音声重畳データを音声調整手段１５に出力する。
【０１０６】
なお、前記付加音声データは、例えば、「ピッピッ」というような効果音、または「現在選局中です。」のような音声メッセージである。すなわち、当該付加音声データは、視聴者に対して選局が行われている旨を音声で知らせるために使用するデータである。
【０１０７】
音声調整手段１５に入力された音声重畳データは、バランス、音質等の調整が行われる。更に、当該音声調整手段１５は、バランス等の調整を行った後の音声重畳データに対応する信号を増幅して音声出力手段１６に出力する。そして、音声出力手段１６は、前記音声重畳データの音声を再生して出力する。そうすると、視聴者は、当該音声重畳データに対応する音声を聞くことによって、当該視聴者によって行われた選局が表示装置２０００において行われることを確認する。
【０１０８】
以上の説明にように、実施の形態４における選局装置２００によれば、視聴者は、音声重畳データの音声を聞くことによって、操作手段１８を用いて行った選局が表示装置２０００に入力されたか否かを容易かつ確実に確認することができる。すなわち、当該視聴者は、図２において説明したようなＯＳＤ画像を見なくても選局が行われる旨を確認することができる。また、ＯＳＤ画像の表示と、当該合成音声データとを確認することによって、選局が行われる旨をより確実に確認することができる。
【図面の簡単な説明】
【０１０９】
【図１】本発明の実施の形態１における選局装置を適用した表示装置の構成を示すブロック図である。
【図２】実施の形態１の表示装置における第１の選局時の映像の表示を説明するための説明図である。
【図３】実施の形態１の表示装置における第２の選局時の映像の表示を説明するための説明図である。
【図４】視聴者が選局を行なった後に、視聴する番組を決定する際の操作例を説明するための説明図である。
【図５】視聴者が選局を行なった後に、視聴する番組を決定する際の他のカーソル表示を説明するための説明図である。
【図６】本発明の実施の形態２の表示装置における選局時の映像等の表示を説明するための説明図である。
【図７】本発明の実施の形態３の表示装置における第１の選局時の映像等の表示を説明するための説明図である。
【図８】本発明の実施の形態３の表示装置における第２の選局時の映像の表示を説明するための説明図である。
【図９】本発明の実施の形態４における選局装置を備える表示装置の構成を示すブロック図である。
【符号の説明】
【０１１０】
１  入力端子、２  第１のチューナモジュール、３  第１のデマルチプレクサ、４  第１のビデオデコーダ、５  第１のオーディオデコーダ、６  ＯＳＤ生成手段、７  映像合成手段、８  映像調整手段、９  表示手段、１０  第２のチューナモジュール、１１  第２のデマルチプレクサ、１２  第２のビデオデコーダ、１３  第２のオーディオデコーダ、１４  音声選択手段、１５  音声調整手段、１６  音声出力手段、１７  記憶手段、１８  操作手段、１９  制御手段、２０  音声付加手段、１００，２００  選局装置、１０００，２０００  表示装置。
【図１】
2006304156.tif 000003
【図２】
2006304156.tif 000004
【図３】
2006304156.tif 000005
【図４】
2006304156.tif 000006
【図５】
2006304156.tif 000007
【図６】
2006304156.tif 000008
【図７】
2006304156.tif 000009
【図８】
2006304156.tif 000010
【図９】
2006304156.tif 000011